(57)【特許請求の範囲】
【請求項１】
被測定信号が入力されるＡ／Ｄ変換器を有する入力部と、前記入力部でＡ／Ｄ変換された前記被測定信号が記憶されるメモリと、表示画面を有する表示手段と、前記メモリに対する前記被測定信号の書き込み／読み出しおよび前記表示手段を制御する演算機能を有する制御手段と、前記制御手段に所定の指示を与える操作部とを備え、前記制御手段は、通常の表示形態として、前記表示手段の表示画面に前記被測定信号の現在測定中の信号波形を実時間表示する実時間波形記録計の波形表示方法において、
前記操作部には、少なくとも過去波形表示キーと、過去波形表示解除キーと、前記表示画面に表示されている波形を時間軸方向に沿って往復的に移動させるスクロールキーとが設けられており、
前記制御部は、前記表示画面を前記通常の実時間波形表示形態としている状態で、前記過去波形表示キーが押されると、前記表示画面内に所定の第１時間軸幅を有する実時間波形表示部と、所定の第２時間軸幅を有する過去波形表示部とを設定し、前記実時間波形表示部には、前記メモリに書き込まれる常に最新の測定データから前記第１時間軸幅分の測定データを読み出して実時間波形として表示し、前記過去波形表示部には、前記メモリ内の前記実時間表示される測定データ以外の領域から前記第２時間軸幅分の前記スクロールキーによって任意に選択される測定データを読み出して過去波形として表示し、その後、前記過去波形表示解除キーが押されると、前記表示画面を前記通常の実時間波形表示形態に戻すことを特徴とする実時間波形記録計の波形表示方法。
【請求項２】
上記スクロールキーの左方向スクロールキーが、上記過去波形表示キーに兼用されていることを特徴とする請求項１に記載の実時間波形記録計の波形表示方法。
【請求項３】
上記表示手段の表示画面内には、上記被測定信号の測定データを数値として表示する数値表示部が設けられ、上記過去波形表示には、上記数値表示部に上記過去波形表示部内の上記過去波形の所定の測定時点での上記測定データが数値として表示されることを特徴とする請求項１または２に記載の実時間波形記録計の波形表示方法。
【請求項４】
上記数値表示部に表示される上記測定データの数値が、上記過去波形表示部内における最新の測定時刻での上記測定データによるものであることを特徴とする請求項３に記載の実時間波形記録計の波形表示方法。
【請求項５】
上記数値表示部に表示される上記測定データの数値が、上記過去波形表示部内において上記操作部によって操作されるカーソルの指示位置での上記測定データによるものであることを特徴とする請求項３に記載の実時間波形記録計の波形表示方法。
【請求項６】
上記過去波形表示時において、上記過去波形表示部の縦軸には数値表示からなるレベルゲージが表示されることを特徴とする請求項１ないし５のいずれか１項に記載の実時間波形記録計の波形表示方法。
【発明の詳細な説明】
【技術分野】
【０００１】
本発明は、実時間波形記録計の波形表示方法に関し、さらに詳しく言えば、現在測定中の実時間波形を観測しながら、過去波形をも観測できるようにした実時間波形記録計の波形表示方法に関するものである。
【背景技術】
【０００２】
実時間波形記録計では、被測定物より測定された電流，電圧等の被測定信号を入力部でＡ／Ｄ変換し、その被測定信号をメモリに取り込みながら、表示に必要な所定の演算処理を行って表示部の液晶表示パネル等からなる表示画面に実時間波形（リアルタイム波形）として表示する。
【０００３】
この種の実時間波形記録計を含めて波形記録計のほとんどは、例えば特許文献１に記載されているように、波形スクロール機能を備えており、その左方向スクロールキーもしくは右方向スクロールキーを操作することにより、メモリに記憶されている被測定信号の過去波形（測定済みの波形）を表示画面に表示させることができる。
【先行技術文献】
【特許文献】
【０００４】
【特許文献１】特開平８−１４６０４４号公報
【発明の概要】
【発明が解決しようとする課題】
【０００５】
しかしながら、上記従来の実時間波形記録計では、スクロールキーを操作して被測定信号の過去波形を表示画面に表示させる場合、実時間波形が表示されていた部分に過去波形が表示されるため、実時間波形を観測することができない、という問題があった。
【０００６】
したがって、本発明の課題は、現在測定中の実時間波形を観測しながら、過去波形をも観測できるようにした実時間波形記録計の波形表示方法を提供することにある。
【課題を解決するための手段】
【０００７】
上記課題を解決するため、本発明は、被測定信号が入力されるＡ／Ｄ変換器を有する入力部と、前記入力部でＡ／Ｄ変換された前記被測定信号が記憶されるメモリと、表示画面を有する表示手段と、前記メモリに対する前記被測定信号の書き込み／読み出しおよび前記表示手段を制御する演算機能を有する制御手段と、前記制御手段に所定の指示を与える操作部とを備え、前記制御手段は、通常の表示形態として、前記表示手段の表示画面に前記被測定信号の現在測定中の信号波形を実時間表示する実時間波形記録計の波形表示方法において、
前記操作部には、少なくとも過去波形表示キーと、過去波形表示解除キーと、前記表示画面に表示されている波形を時間軸方向に沿って往復的に移動させるスクロールキーとが設けられており、前記制御部は、前記表示画面を前記通常の実時間波形表示形態としている状態で、前記過去波形表示キーが押されると、前記表示画面内に所定の第１時間軸幅を有する実時間波形表示部と、所定の第２時間軸幅を有する過去波形表示部とを設定し、前記実時間波形表示部には、前記メモリに書き込まれる常に最新の測定データから前記第１時間軸幅分の測定データを読み出して実時間波形として表示し、前記過去波形表示部には、前記メモリ内の前記実時間表示される測定データ以外の領域から前記第２時間軸幅分の前記スクロールキーによって任意に選択される測定データを読み出して過去波形として表示し、その後、前記過去波形表示解除キーが押されると、前記表示画面を前記通常の実時間波形表示形態に戻すことを特徴としている。
【０００９】
また、本発明において、上記スクロールキーの左方向スクロールキーが、上記過去波形表示キーに兼用されてもよい。
【００１０】
また、本発明の好ましい態様によれば、上記表示手段の表示画面内には、上記被測定信号の測定データを数値として表示する数値表示部が設けられ、上記過去波形表示には、上記数値表示部に上記過去波形表示部内の上記過去波形の所定の測定時点での上記測定データが数値として表示される。
【００１１】
その場合、上記数値表示部に表示される上記測定データの数値が、上記過去波形表示部内における最新の測定時刻での上記測定データによるものであってもよいし、上記過去波形表示部内において上記操作部によって操作されるカーソルの指示位置での上記測定データによるものであってもよい。
【００１２】
また、別の態様として、上記過去波形表示時において、上記過去波形表示部の縦軸には数値表示からなるレベルゲージが表示されてもよい。
【発明の効果】
【００１３】
本発明によれば、過去波形表示キーが押されることにより、表示画面内に所定の第１時間軸幅を有する実時間波形表示部と、所定の第２時間軸幅を有する過去波形表示部とが設定され、実時間波形表示部に現在測定中の実時間波形がリアルタイムで表示されるとともに、過去波形表示部には、メモリ内から読み出された過去波形が表示されるため、現在測定中の実時間波形を観測しながら、過去波形をも観測することが可能となる。
【図面の簡単な説明】
【００１４】
【図１】本発明で用いられる実時間波形記録計の基本的な構成を示すブロック図。
【図２】（ａ）操作部のキー配列を示す模式図，（ｂ）メモリのデータ書き込み／読み出し領域を説明するための模式図。
【図３】本発明による第１の表示形態を示す表示画面図。
【図４】本発明による第２の表示形態を示す表示画面図。
【図５】上記第２の表示形態での過去波形の別の測定例を示す表示画面図。
【図６】本発明による第３の表示形態を示す表示画面図。
【発明を実施するための形態】
【００１５】
次に、図１ないし図６を参照して本発明の実施形態について説明するが、本発明の技術的範囲はこれに限定されるものではない。
【００１６】
図１に示すように、本発明で使用される実時間波形記録計は、基本的な構成として、入力部１０，制御部２０，記憶部３０，操作部４０，表示部５０および記録部６０を備えている。
【００１７】
入力部１０はＡ／Ｄ変換器を有し、図示しない被測定物からの被測定信号をＡ／Ｄ変換する。制御部２０はＣＰＵやマイクロコンピュータ等から構成され、入力部１０にてＡ／Ｄ変換された被測定信号の記憶部３０への書き込／読み出しや、表示部の表示形態等を制御する。
【００１８】
記憶部３０には、ＲＡＭ（Ｒａｄｏｍ  Ａｃｃｅｓｓ  ｍｅｍｏｒｙ）３１とＲＯＭ（Ｒｅａｄ  Ｏｎｌｙ  Ｍｅｍｏｒｙ）３２とが含まれている。ＲＡＭ３１には被測定信号が逐次書き込まれ、ＲＯＭ３２には制御部２０の動作プログラム等が格納されている。以下の説明において、ＲＡＭ３１をメモリということがある。
【００１９】
操作部４０は、制御部２０に所定の動作指示を与えるため、図２（ａ）に示すように、スクロールキー４１，追従キー４２，ホールドキー４３，数値表示キー４４およびレベルゲージ表示キー４５等が設けられている。このほかに、テンキーや文字入力キー等が設けられてもよい。
【００２０】
表示部５０は、液晶表示パネルやプラズマディスプレイ等からなる表示画面５０Ａ（図３ないし図６参照）を備えている。記録部６０には、記録紙に測定波形や測定データ等を印字するプリンタが用いられてよい。
【００２１】
この実施形態において、追従キー４２は実時間波形表示用キー，ホールドキー４３は実時間波形と過去波形とを表示させるキー，数値表示キー４４は表示されている波形の測定データを数値で表示させるキー，レベルゲージ表示キー４５は波形表示部の縦軸にレベル読み取り用のゲージを表示させるキーである。
【００２２】
ホールドキー４３，追従キー４２が、それぞれ請求項１における「過去波形表示キー」，「過去波形表示解除キー」に対応している。
【００２３】
追従キー４２と数値表示キー４４とをオンとしたのち、図示しない測定スタートキーをオンにすると、制御部２０は、入力部１０から被測定信号を取り込み、その被測定信号をメモリ（ＲＡＭ）３１に書き込みながら、表示に必要な所定の演算処理を行って、図３に例示するように、表示部５０の表示画面５０Ａ内に実時間波形（リアルタイム波形）を表示する。
【００２４】
すなわち、通常の表示形態として、表示画面５０Ａ内に波形表示部５１を設定し、波形表示部５１に被測定信号の現在測定中の信号波形を実時間波形として表示する。
【００２５】
この例では、信号入力系を２チャンネルとしており、波形表示部５１には、第１チャンネルＣＨ１の実線図示の信号波形Ｗ１と第２チャンネルＣＨ２の鎖線図示の信号波形Ｗ２の２つの信号波形が実時間波形として表示される。
【００２６】
このように、信号入力系を２チャンネル（多チャンネル）とする場合、信号波形Ｗ１，Ｗ２は、異なる被測定物からそれぞれ測定された例えば電圧信号等であってもよいし、同じ被測定物から測定された例えば電圧，電流等の信号であってもよい。
【００２７】
また、波形表示部５１の時間軸に沿って波形位置表示用バー５２が白抜きの長四角枠状に設定され、この中にメモリ３１のメモリ領域に対する表示波形の位置を示すスクロールマークＭが表示される。この場合、実時間表示であるから、スクロールマークＭは波形位置表示用バー５２の右端に表示されている。
【００２８】
また、表示画面５０Ａ内に数値表示部５３が設定され、数値表示部５３にチャンネルＣＨ１，ＣＨ２の各測定データが数値として表示される。実時間波形表示において、数値表示部５３に表示される数値は、信号波形Ｗ１，Ｗ２の波形表示部５１の右端における最新の測定データのものである。
【００２９】
また、表示画面５０Ａ内には、測定開始時刻表示部５４と、測定開始から計時された測定経過時刻表示部５５とが設けられる。図３の表示例によれば、測定開始時刻は２００９年７月１０日の１０時１０分２８秒、測定経過時刻は２分１２秒であり、数値表示部５３に表示されている数値は測定経過時刻の２分１２秒のものである。
【００３０】
このほか、表示画面５０Ａの余白的な表示欄５６には、記録間隔（被測定信号のサンプリング間隔）表示部５６ａ，波形表示部５１の１ＤＩＶ．（ディビジョン；時間軸目盛の単位時間）表示部５６ｂ，追従形態表示部５６ｃおよびホールド形態表示部５６ｄが設けられる。
【００３１】
図３では、記録間隔が１０ｍＳ，波形表示部５１の時間軸の１ＤＩＶ．が１００ｍｓであることが表示され、実時間波形表示であることから、追従形態表示部５６ｃがハイライト処理されている。
【００３２】
この通常の表示形態での表示時において、操作部４０のホールドキー４３がオンされると、制御部２０は、表示画面５０Ａを図４に示す表示形態に切り替える。
【００３３】
すなわち、波形表示部５１を実時間波形表示部５１ａと過去波形表示部５１ｂとに分割し、その一方の右側の実時間波形表示部５１ａに実時間波形Ｗ１Ｒ，Ｗ２Ｒを表示するとともに、他方の左側の過去波形表示部５１ｂに過去波形Ｗ１Ｐ，Ｗ２Ｐを表示する。これと同時に、追従形態表示部５６ｃに代わってホールド形態表示部５６ｄがハイライト処理される。
【００３４】
また、実時間波形表示部５１ａの下方に波形位置表示用バー５２ａが設けられ、波形位置表示用バー５２ａ内に、現在表示されている実時間波形Ｗ１Ｒ，Ｗ２Ｒのメモリ３１のメモリ領域に対する表示位置（データ読み出し位置）を示すスクロールマークＭａが表示される。
【００３５】
同様に、過去波形表示部５１ｂの下方にも波形位置表示用バー５２ｂが設けられ、波形位置表示用バー５２ｂ内に、現在表示されている過去波形Ｗ１Ｐ，Ｗ２Ｐのメモリ３１のメモリ領域に対する表示位置（データ読み出し位置）を示すスクロールマークＭｂが表示される。
【００３６】
この実施形態において、実時間波形表示部５１ａの時間軸幅は２ＤＩＶ．（２目盛分の２００ｍｓ）で、過去波形表示部５１ｂの時間軸幅は７ＤＩＶ．（７目盛分の７００ｍｓ）であり、過去波形Ｗ１Ｐ，Ｗ２Ｐは、図２（ａ）に図示のスクロールキー４１（左スクロールキー４１Ｌ，右スクロールキー４１Ｒ）によりスクロール可能である。
【００３７】
図２（ｂ）を参照して、メモリ３１のメモリ領域３１Ｍには、被測定信号の測定データが逐次書き込まれるが、常に最新の測定データから２００ｍｓ（２ＤＩＶ．分）の測定データがメモリ領域３１Ｍから読み出され、実時間波形Ｗ１Ｒ，Ｗ２Ｒとして実時間波形表示部５１ａに表示される。
【００３８】
これに対して、過去波形表示部５１ｂには、最新の測定データから２００ｍｓ以外の領域（過去波形の測定データ領域）から読み出された７００ｍｓ（７ＤＩＶ．分）の測定データが過去波形Ｗ１Ｐ，Ｗ２Ｐとして表示される。
【００３９】
過去波形Ｗ１Ｐ，Ｗ２Ｐは、上記したようにスクロールキー４１によりスクロールされるが、この実施形態の場合、数値表示部５３には、過去波形Ｗ１Ｐ，Ｗ２Ｐの過去波形表示部５１ｂの右端における測定データの数値が表示され、また、測定経過時刻表示部５４には、その測定時刻が表示される。
【００４０】
別の実施形態として、スクロールキー４１内のスクロール／カーソル切替ボタン４１Ｃを操作（１回押す）して、図５に示すように、過去波形表示部５１ｂにレベル軸（縦軸）と平行なカーソルＡ−Ａ線を表示させ、数値表示部５３にカーソルＡ−Ａ線が合わせられた測定時刻における測定データの数値を表示させることもできる。なお、スクロール／カーソル切替ボタン４１Ｃを再度押すとスクロール機能に戻る。
【００４１】
また、さらに別の実施形態として、操作部４０内のレベルゲージ表示キー４５を操作することにより、図６に示すように、過去波形表示部５１ｂのレベル軸に沿って例えば数値よりなるレベルゲージ（レベル目盛）５７を表示させることもできる。
【００４２】
図６に実施形態では、レベルゲージ５７の表示に伴って、数値表示部５３および測定経過時刻表示部５５が消去されているが、表示画面５０Ａ内の表示スペースの許す限り、数値表示部５３および測定経過時刻表示部５５を消去することなく、レベルゲージ５７を表示させることが好ましい。
【００４３】
本発明によれば、ホールドキー４３を操作することにより、図３の実時間波形表示のみの追従表示形態から、図４ないし図６の実時間波形表示と過去波形表示との併合表示形態に切り替えられるが、追従キー４２を操作することにより、図３の追従表示形態に戻る。
【００４４】
また、特別にホールドキー４３を設けることなく、例えばスクロールキー４１内の左スクロールキー４１Ｌをホールドキーと兼用し、図３実時間波形表示のみの追従表示形態時に、左スクロールキー４１Ｌを操作することにより、図４ないし図６の実時間波形表示と過去波形表示との併合表示形態に切り替えることも可能であり、このような態様も本発明に含まれる。
【符号の説明】
【００４５】
１０  入力部
２０  制御部
３０  メモリ
３１  ＲＡＭ
３２  ＲＯＭ
４０  操作部
４１  スクロールキー
４２  追従キー
４３  ホールドキー
４４  数値表示キー
４５  レベルゲージ表示キー
５０  表示部
５０Ａ  表示画面
５１ａ  実時間波形表示部
５１ｂ  過去波形表示部
５２，５２ａ，５２ｂ  波形位置表示用バー
５３  数値表示部
５４  測定経過時刻表示部
５７  レベルゲージ
Ｍ  スクロールマーク
Ｗ１Ｒ，Ｗ２Ｒ  実時間波形
Ｗ１Ｐ，Ｗ２Ｐ  過去波形
【図１】
0005430310.tif 000002
【図２】
0005430310.tif 000003
【図３】
0005430310.tif 000004
【図４】
0005430310.tif 000005
【図５】
0005430310.tif 000006
【図６】
0005430310.tif 000007